(57)【要約】【課題】防鳥ネットの取り付けが簡単であり、かつ、防鳥ネットが容易に外れることを防止できる構成を得る。【解決手段】防鳥ネット１０は、防鳥ネット取付具１２と、枠材１４と、ネット１６とを有している。防鳥ネット１０は、防鳥ネット取付具１２によって被取付材１８に取り付けられる。防鳥ネット取付具１２は、線材１２ａからなる。防鳥ネット取付具１２は、線材１２ａの一部が曲げられた環状部２０と、線材１２ａにおける環状部２０の両端に形成され、かつ、互いに絡み合う一対の螺旋部２２ａ，２２ｂとを有している。【選択図】図２
2017063719.tif 000002
【特許請求の範囲】
【請求項１】
線材からなる防鳥ネット取付具であって、
前記線材の一部が環状に曲げられた環状部と、
前記線材における前記環状部の両端に形成され、かつ、互いに絡み合う一対の螺旋部と、
を有する、防鳥ネット取付具。
【請求項２】
前記一対の螺旋部は、前記環状部の法線方向から見た場合に、複数の位置で交差するように互いに絡み合う、請求項１に記載の防鳥ネット取付具。
【請求項３】
前記一対の螺旋部から前記環状部とは反対側に延びる一対のガイド部をさらに有し、
前記一対のガイド部間の距離は、前記一対の螺旋部から離れるに従って大きくなる、請求項１に記載の防鳥ネット取付具。
【請求項４】
前記線材は、ステンレス鋼からなる、請求項１から３のいずれかに記載の防鳥ネット取付具。
【請求項５】
請求項１から４のいずれかに記載の防鳥ネット取付具と、
枠材と、
前記枠材に取り付けられたネットと、を備え、
前記環状部内には、前記枠材が、線状の被取付材とともに位置づけられている、防鳥ネット。
【請求項６】
請求項１から４のいずれかに記載の防鳥ネット取付具と、枠材と、前記枠材に取り付けられたネットとを備えた防鳥ネットを、線状の被取付材に取り付ける方法であって、
（ａ１）前記一対の螺旋部に対して、前記環状部とは反対側に前記枠材および前記被取付材を位置づけるステップと、
（ａ２）前記枠材および前記被取付材が前記一対の螺旋部の間を通って前記環状部内に位置付けられるように、前記一対の螺旋部を前記枠材および前記被取付材に押し付けつつ、前記防鳥ネット取付具を前記一対の螺旋部の螺旋方向に回転させるステップと、
を有する、防鳥ネットの取付方法。
【発明の詳細な説明】
【技術分野】
【０００１】
本発明は、防鳥ネット取付具、防鳥ネット、および防鳥ネットの取付方法に関する。
【背景技術】
【０００２】
近年、駅、神社、道路および線路の高架下、集合住宅のベランダ、工場、倉庫などにおいて、鳥類の侵入に伴う様々な被害（以下、「鳥害」という。）が問題になっている。鳥害対策としては、人型のカカシ、ワシ型の疑似鳥、目玉、反射板などの視覚的なおどしを用いた方法、爆発音などの聴覚的なおどしを用いた方法、防鳥ネットを使用する方法、複数の針を使用する方法、忌避剤を用いる方法、電気ショックを利用する方法などがある。その中でも、防鳥ネットを使用する方法は、鳥類の侵入を高い確率で防止できることから、様々な場所で用いられている。
【０００３】
例えば、特許文献１には、住居のベランダ等で用いることができる防鳥ネットが開示されている。特許文献１の防鳥ネットを住居のベランダで用いる場合には、まず、ベランダに架設されたパイプに、複数のリング状の吊下具（パイプリング）が摺動可能に取り付けられる。次に、上記複数のパイプリングにそれぞれ、鉤状の吊下具（ネットフック）が取り付けられる。最後に、上記のようにしてパイプに取り付けられた複数のネットフックに、防鳥ネットが引っ掛けられる。
【先行技術文献】
【特許文献】
【０００４】
【特許文献１】特開２００２−１８６４０４号公報
【発明の概要】
【発明が解決しようとする課題】
【０００５】
上記ネットフックのような鉤状の部材を防鳥ネットの取付具として用いることによって、パイプおよびワイヤ等に防鳥ネットを簡単に取り付けることができると考えられる。
【０００６】
ところで、防鳥ネットに鳥がとまったり、強い風が吹いたりすることによって、防鳥ネットが大きく揺れる場合がある。上記のような鉤状の取付具を用いて防鳥ネットを取り付けていると、防鳥ネットが大きく揺れた場合に、防鳥ネットが取付具から簡単に外れてしまうおそれがある。
【０００７】
本発明は、上述の問題を解決するためになされたものであり、防鳥ネットの取り付けが簡単であり、かつ、防鳥ネットが容易に外れることを防止できる構成を提供することを目的とする。
【課題を解決するための手段】
【０００８】
本発明の実施形態に係る防鳥ネット取付具は、線材からなる防鳥ネット取付具であって、前記線材の一部が環状に曲げられた環状部と、前記線材における前記環状部の両端に形成され、かつ、互いに絡み合う一対の螺旋部と、を有する。
【０００９】
前記一対の螺旋部は、前記環状部の法線方向から見た場合に、複数の位置で交差するように互いに絡み合っていてもよい。
【００１０】
前記一対の螺旋部から前記環状部とは反対側に延びる一対のガイド部をさらに有し、前記一対のガイド部間の距離は、前記一対の螺旋部から離れるに従って大きくなっていてもよい。
【００１１】
前記線材は、ステンレス鋼からなっていてもよい。
【００１２】
本発明の実施形態に係る防鳥ネットは、上述の防鳥ネット取付具と、枠材と、前記枠材に取り付けられたネットと、を備え、前記環状部内には、前記枠材が、線状の被取付材とともに位置づけられている。
【００１３】
本発明の実施形態に係る防鳥ネットの取付方法は、上述の防鳥ネット取付具と、枠材と、前記枠材に取り付けられたネットとを備えた防鳥ネットを、線状の被取付材に取り付ける方法であって、
（ａ１）前記一対の螺旋部に対して、前記環状部とは反対側に前記枠材および前記被取付材を位置づけるステップと、
（ａ２）前記枠材および前記被取付材が前記一対の螺旋部の間を通って前記環状部内に位置付けられるように、前記一対の螺旋部を前記枠材および前記被取付材に押し付けつつ、前記防鳥ネット取付具を前記一対の螺旋部の螺旋方向に回転させるステップと、
を有する。
【発明の効果】
【００１４】
本発明によれば、防鳥ネットの取り付けが簡単であり、かつ、防鳥ネットが容易に外れることを防止できる構成が得られる。
【図面の簡単な説明】
【００１５】
【図１】本発明の実施形態に係る防鳥ネットを一対の被取付材に取り付けた状態を示す概略図である。
【図２】本発明の実施形態における防鳥ネット取付具を示す概略図である。
【図３】防鳥ネットの取付方法を説明するための図である。
【発明を実施するための形態】
【００１６】
以下、図面を参照し、本発明の実施の形態を詳しく説明する。なお、各図中の構成部材の寸法は、実際の構成部材の寸法および各構成部材の寸法比率等を忠実に表したものではない。
【００１７】
（防鳥ネットの構成）
図１は、本発明の一実施形態に係る防鳥ネット１０を一対の被取付材１８に取り付けた状態を示す概略図である。なお、被取付材１８は、後述する防鳥ネット取付具１２を取付可能な線状の部材であればよい。例えば、被取付材１８としては、ステンレスワイヤが用いられる。なお、駅、神社、道路および線路の高架下、集合住宅のベランダ、工場、倉庫などに予め設けられている線状の部材を被取付材１８として用いてもよく、防鳥ネット１０を取り付けようとする場所に新たに被取付材１８を設けてもよい。
【００１８】
図１を参照して、防鳥ネット１０は、複数の防鳥ネット取付具１２、枠材１４およびネット１６を備えている。防鳥ネット１０（本実施形態では枠材１４）は、防鳥ネット取付具１２によって被取付材１８に取り付けられている。防鳥ネット取付具１２の詳細は後述する。
【００１９】
枠材１４は、例えば、アルミニウム鋼からなる。本実施形態では、枠材１４は、長方形状を有し、一対の長手部１４ａ、一対の短手部１４ｂおよび補強部１４ｃを有している。長手部１４ａの長さは、例えば、約１０００ｍｍに設定される。一対の短手部１４ｂは、一対の長手部１４ａの両端部を接続し、補強部１４ｃは、一対の長手部１４ａの中央部を接続している。短手部１４ｂおよび補強部１４ｃの長さは、例えば、約３００〜５００ｍｍに設定される。
【００２０】
ネット１６は、例えば、ポリエチレンからなる。本実施形態では、ネット１６は、例えば、図示しないポリエチレン製の糸によって枠材１４に取り付けられている。
【００２１】
（防鳥ネット取付具の構成）
次に、防鳥ネット取付具１２について詳細に説明する。図２は、防鳥ネット取付具１２を示す図である。図２を参照して、防鳥ネット取付具１２は、線材１２ａからなる。線材１２ａとしては、例えば、金属材料が用いられる。本実施形態では、線材１２ａは、ステンレス鋼からなる。
【００２２】
防鳥ネット取付具１２は、環状部２０と一対の螺旋部２２ａ，２２ｂと一対のガイド部２４ａ,２４ｂとを有している。環状部２０は、線材１２ａの一部が環状に曲げられた部分である。螺旋部２２ａ，２２ｂは、線材１２ａにおける環状部２０の両端に形成されている。螺旋部２２ａ，２２ｂは、互いに絡み合っている。螺旋部２２ａ，２２ｂは、環状部２０の法線方向から見た場合（環状部２０の内側の領域が最も大きく見える方向から見た場合）に、複数の位置で交差している。本実施形態では、螺旋部２２ａ，２２ｂは、上記法線方向から見た場合に、２箇所（破線の円２６ａ,２６ｂで囲んだ部分）で交差している。以下、螺旋部２２ａ，２２ｂが交差する２箇所のうち、ガイド部２４ａ,２４ｂ側の一方を第１交差部２６ａといい、他方を第２交差部２６ｂという。ガイド部２４ａ,２４ｂは、螺旋部２２ａ，２２ｂから、環状部２０とは反対側に延びている。ガイド部２４ａとガイド部２４ｂとの距離は、螺旋部２２ａ，２２ｂから離れるに従って大きくなっている。
【００２３】
（防鳥ネットの取付方法）
次に、防鳥ネット１０の被取付材１８への取付方法について説明する。図３は、防鳥ネット１０の取付方法を説明するための図である。なお、以下においては、防鳥ネット取付具１２によって、枠材１４の長手部１４ａを被取付材１８に取り付ける場合について説明するが、防鳥ネット取付具１２によって、短手部１４ｂを被取付材１８に取り付けてもよい。
【００２４】
図３（ａ）を参照して、防鳥ネット１０を被取付材１８へ取り付ける際には、まず、一対の螺旋部２２ａ，２２ｂに対して、環状部２０とは反対側に長手部１４ａおよび被取付材１８を位置づける。本実施形態では、一対のガイド部２４ａ,２４ｂの間に、長手部１４ａおよび被取付材１８を位置づける。
【００２５】
次に、螺旋部２２ａ，２２ｂを長手部１４ａおよび被取付材１８に押し付けつつ、防鳥ネット取付具１２（より具体的には、例えば、環状部２０）を螺旋部２２ａ，２２ｂの螺旋方向（矢印Ａで示す方向）に１８０度回転させる。なお、本実施形態において螺旋部２２ａ，２２ｂの螺旋方向とは、環状部２０から見て螺旋部２２ａ，２２ｂが線材１２ａの一対の端部に向かって旋回する方向を意味する。
【００２６】
防鳥ネット取付具１２（環状部２０）を上記螺旋方向に１８０度回転させようとすると、螺旋部２２ａ，２２ｂは回転できるが、ガイド部２４ａ，２４ｂの回転は、長手部１４ａおよび被取付部１８によって規制される。これにより、第１交差部２６ａにおいて螺旋部２２ａと螺旋部２２ｂとの間隔が大きくなる。その結果、図３（ｂ）を参照して、長手部１４ａおよび被取付材１８が第１交差部２６ａを通って、第１交差部２６ａと第２交差部２６ｂとの間に位置づけられる。長手部１４ａおよび被取付材１８が第１交差部２６ａを通過することによって、ガイド部２４ａ，２４ｂは、螺旋部２２ａ，２２ｂの回転に従って１８０度回転する。
【００２７】
次に、螺旋部２２ａ，２２ｂの第２交差部２６ｂを長手部１４ａおよび被取付材１８に押し付けつつ、防鳥ネット取付具１２（例えば、環状部２０）を螺旋部２２ａ，２２ｂの螺旋方向に１８０度回転させる。このとき、環状部２０は回転できるが、螺旋部２２ａ，２２ｂの回転は、長手部１４ａおよび被取付部１８によって規制される。これにより、第２交差部２６ｂにおいて螺旋部２２ａと螺旋部２２ｂとの間隔が大きくなる。その結果、図３（ｃ）を参照して、長手部１４ａおよび被取付材１８が第２交差部２６ｂを通って、環状部２０内に位置づけられる。長手部１４ａおよび被取付材１８が第２交差部２６ａを通過することによって、ガイド部２４ａ，２４ｂは、環状部２０の回転に従って１８０度回転する。これにより、枠材１４を被取付材１８に取り付けることができる。すなわち、防鳥ネット１０を被取付材１８に取り付けることができる。
【００２８】
（実施形態の効果）
本実施形態においては、上述のように、防鳥ネット取付具１２を螺旋部２２ａ，２２ｂの螺旋方向に回転させることによって、防鳥ネット１０を被取付材１８に取り付けることができる。すなわち、防鳥ネット取付具１２を回転させるだけで、防鳥ネット１０を容易に被取付材１８に取り付けることができる。
【００２９】
また、本実施形態においては、枠材１４および被取付材１８が環状部２０内に位置づけられるので、枠材１４および被取付材１８が防鳥ネット取付具１２から容易に外れない。これにより、枠材１４が大きく揺れた場合でも、防鳥ネット１０が被取付材１８から容易に外れることを防止できる。
【００３０】
また、本実施形態では、螺旋部２２ａ，２２ｂが複数箇所で交差している。これにより、枠材１４が大きく揺れた場合でも、枠材１４および被取付材１８が螺旋部２２ａ,２２ｂの間を通過することを十分に防止できる。その結果、防鳥ネット１０が被取付材１８から外れることを十分に防止できる。
【００３１】
また、防鳥ネット取付具１２は一対のガイド部２４ａ,２４ｂを有している。この場合、ガイド部２４ａとガイド部２４ｂとの間に枠材１４および被取付材１８を位置づけることによって、螺旋部２２ａ，２２ｂを枠材１４および被取付材１８に容易に押し付けることができる。これにより、防鳥ネット１０の被取付材１８への取り付けがさらに容易になる。
【００３２】
（変形例）
上述の実施形態では、防鳥ネット１０が８個の防鳥ネット取付具１２を有する場合について説明したが、防鳥ネット取付具１２の数は７個以下であってもよく、９個以上であってもよい。
【００３３】
上述の実施形態では、環状部２０の法線方向から見た場合に、螺旋部２２ａ，２２ｂが２箇所で交差する場合について説明したが、一対の螺旋部が３箇所以上の位置で交差していてもよい。
【００３４】
上述の実施形態では、防鳥ネット１０が長方形状の枠材１４を有する場合について説明したが、防鳥ネットが他の形状の枠材を有していてもよい。
【００３５】
上述の実施形態では、防鳥ネット１０が枠材１４を有する場合について説明したが、防鳥ネットが枠材１４を有していなくてもよい。この場合、防鳥ネット取付具１２によって、ネット１６を被取付材１８に取り付ければよい。
【産業上の利用可能性】
【００３６】
本発明は、駅、神社、道路および線路の高架下、集合住宅のベランダ、工場、倉庫などで防鳥ネットを取り付ける際に好適に用いることができる。
【符号の説明】
【００３７】
１０  防鳥ネット
１２  防鳥ネット取付具
１２ａ  線材
１４  枠材
１６  ネット
１８  被取付材
２０  環状部
２２  螺旋部
２４  ガイド部
２６ａ  第１交差部
２６ｂ  第２交差部
【図１】
2017063719.tif 000003
【図２】
2017063719.tif 000004
【図３】
2017063719.tif 000005